(57)【要約】【課題】  外壁パネルの建物躯体への取り付け、外壁パネルの縦目地の納まり工事の両方につき、建物の内部から施工出来て、無足場施工が可能となり、かつ縦目地の施工精度に優れ、水密性にも優れるようにする。【解決手段】外壁パネルユニット２１，２１を並べて建物躯体に設置した外壁における隣合う外壁パネル２２、２２間の縦目地３５の構造である。外壁パネル２２は、表裏の金属板２８，２９の間に断熱材２７を介在させた金属サンドイッチパネルである。縦目地３５を形成するパネル端面は、表裏の金属板２８、２９とは別体のアルミ等の型材４０からなる。この型材４０で両内側面が形成された縦目地３５内に、内外に位置する複数の水密性確保のための二次部材３６、３７を設ける。前記外壁パネルユニット２１は、外壁パネル２２を上下に複数並べ、胴縁２３に取付けて構成される。【選択図】      図１
2016094791.tif 000002
【特許請求の範囲】
【請求項１】
上下方向に並ぶ複数枚の外壁パネルを、この外壁パネルの裏面の横幅方向の複数箇所で上下方向に延びる複数本の胴縁に取付けて外壁パネルユニットとし、この外壁パネルユニットをパネル幅方向に並べて建物躯体に設置してなる外壁における左右に隣合う外壁パネル間の縦目地の構造であって、
前記各外壁パネルは、表裏の金属板の間に断熱材を介在させた金属サンドイッチパネルであって、前記縦目地を形成するパネル端面が、前記表裏の金属板とは別体の型材からなり、これら型材で両内側面が形成された前記縦目地内に、互いに内外に位置する複数の水密性確保のための二次部材を設けたことを特徴とする外壁の外壁パネル間目地構造。
【請求項２】
請求項１に記載の外壁の外壁パネル間目地構造において、前記縦目地内の前記内外の二次部材間の空間を外気と等圧の等圧空間とした外壁の外壁パネル間目地構造。
【請求項３】
請求項１または請求項２に記載の外壁の外壁パネル間目地構造において、前記各胴縁が前記縦目地から外れて位置する外壁の外壁パネル間目地構造。
【請求項４】
請求項１ないし請求項３のいずれか１項に記載の外壁の外壁パネル間目地構造において、前記内外に位置する複数の二次部材が、それぞれレインバリアおよびウインドバリアであって、いずれも乾式のガスケットである外壁の外壁パネル間目地構造。
【請求項５】
請求項１ないし請求項４のいずれか１項に記載の外壁の外壁パネル間目地構造において、室内側の前記二次部材が乾式ガスケットであって、この乾式ガスケットを前記外壁パネルの取り付け後、後施工で前記縦目地に取り付けた外壁の外壁パネル間目地構造。
【請求項６】
請求項１ないし請求項３のいずれか１項に記載の外壁の外壁パネル間目地構造において、室内側の前記二次部材の全てまたは一部が、前記外壁パネルの取り付け後に施工された不定形のシーリング材である外壁の外壁パネル間目地構造。
【発明の詳細な説明】
【技術分野】
【０００１】
この発明は、物流施設等の鉄骨系建物等において、隣り合う外壁パネル間の縦目地を密封する外壁パネル間目地構造に関する。
【背景技術】
【０００２】
物流施設、コンビニエンスストア等の建物の外壁において、ロックウールなどの不燃断熱材を鋼板で挟み込んだ金属サンドイッチ構造の外壁パネルを、上下に複数枚並べて構築するものがある。このような外壁を施工するのに、従来は、スラブや柱，梁等からなる建物躯体に、下地となる胴縁を先行して取付け、この胴縁に前記複数枚の外壁パネルを取り付けている。この先行して取り付けられた胴縁にパネルを縫いつけるために、外部から直接作業のできる足場を、建物躯体のパネル取付け面に設置する。
【０００３】
従来工法のパネル端部の納まりを図１０に示す。外壁パネル４２の表面を構成する鋼板４８の端部に折り曲げ片４８ａを設け（同図（Ａ））、この折り曲げ片４８ａを目地部で隣り合う外壁パネル４２，４２の折り曲げ片４８ａと重ね合わせ（同図（Ｂ））、それらを外壁パネル４２の目地芯に設置した角形の胴縁４３にタッピングビス等のビス５１で留め付ける。ビス留めされた外壁パネル４２の目地部分は、その上からシーリング材５６を充填することで防水する。また、それぞれの外壁パネル４２，４２も角形の胴縁４３にタッピングビス等のビス５０で縫い付ける（同図（Ｃ））。
【０００４】
外壁パネル４２は、表裏の鋼板４８，４８間に不燃断熱材（図示せず）を挟み込んだ金属サンドイッチパネルであり、端部に石膏ボード４４を取り付け、鋼板４８は、詳しくは同図（Ｄ）のように一部４８ｂを内側に折り返している作りとなっている。
【先行技術文献】
【特許文献】
【０００５】
【特許文献１】特許第３５５０３０４号公報
【発明の概要】
【発明が解決しようとする課題】
【０００６】
上記従来の外壁構造では、外壁パネル４２の取付けのためには、足場（図示せず）の設置が必要であった。そのため、パネル取り付け施工のために足場に影響する工事、例えば外構工事などが滞留するなどの問題があった。また、外壁パネル４２を１枚ずつ吊り上げ、建物躯体の胴縁４３に取付けるので、手間がかかり、これによっても工期が長くなるという問題があった。
【０００７】
この発明の目的は、外壁パネルの建物躯体への取り付け、および外壁パネルの縦目地の納まり工事の両方につき、建物の内部から施工出来て、無足場施工が可能となり、工期および費用の削減が期待でき、かつ縦目地の施工精度に優れ、水密性にも優れる外壁パネル間目地構造を提供することである。
【課題を解決するための手段】
【０００８】
この発明の外壁パネル間目地構造は、上下方向に並ぶ複数枚の外壁パネルを、この外壁パネルの裏面の横幅方向の複数箇所で上下方向に延びる複数本の胴縁に取付けて外壁パネルユニットとし、この外壁パネルユニットをパネル幅方向に並べて建物躯体に設置してなる外壁における左右に隣合う外壁パネル間の縦目地の構造であって、
前記各外壁パネルは、表裏の金属板の間に断熱材を介在させた金属サンドイッチパネルであって、前記縦目地を形成するパネル端面が、前記表裏の金属板とは別体の型材からなり、これら型材で両内側面が形成された前記縦目地内に、互いに内外に位置する複数の水密性確保のための二次部材を設けたことを特徴とする。
前記縦目地内の前記内外の二次部材間の空間を外気と等圧の等圧空間とすることも可能である。また、等圧空間とならない場合であっても、複層の水密目的の二次部材により十分な止水性を確保できる目地構造とすることが可能である。
なお、前記「型材」は、アルミ成型材や無機材の成型体等のように、成型によって所定の断面形状とされた部材を言う。
【０００９】
この構成によると、複数枚の外壁パネルを胴縁と一体化させて外壁パネルユニットとしており、外壁パネルユニットの胴縁を建物躯体に取付ける作業は、外壁パネルを胴縁に縫い付ける作業とは異なり、建物躯体内のスラブや梁上等から行える。そのため、外壁パネルの建物躯体への取付作業を行うにつき、従来は必要であった建物躯体の外周の足場が不要になる。
また、前記縦目地を形成するパネル端面が、表裏の金属板とは別体の型材からなり、これら型材で両内側面が形成された前記縦目地内に水密性確保のための二次部材を設けるため、前記二次部材を乾式として予め前記型材に取付けておくことで、外壁パネルの設置によって縦目地の納まり工事が行え、屋外側からの水密施工を不要にできる。
外壁パネルの設置によって前記二次部材による縦目地の納まり工事を完了させる場合、前記二次部材は、縦目地を形成するパネル端面に取付けておく必要があり、また施工精度を向上させる必要があるが、パネル端面が前記型材からなるため、施工精度が上がり、また型材に前記二次部材を嵌め込み等によって保持可能とする断面形状の部分を容易に設けておくことができ、二次部材をパネル端面に取付けておく作業が容易に行える。
前記二次部材は、互いに内外に位置するように複数設け、縦目地内の内外の二次部材間の空間を外気と等圧の等圧空間とする場合は、気圧差によって雨水が目地内に浸入することが防止され、等圧空間とならない場合でも、複層の二次部材によって止水性を向上できる。
【００１０】
このように、外壁パネルの建物躯体への取付作業と、縦目地の耐火性能確保との両方の点で、無足場施工が可能となる。そのため、工期および費用の削減が期待できる。また、これまで外部足場の撤去時期に影響していた工事、例えば外構工事などの工事の早期着手ができることで、全体工期の短縮が期待できる。また、内部施工とすることで作業環境と作業性能の効率化が見込めるため人員コストの削減も期待できる。
さらに、地組等により外壁パネルと下地胴縁とを一体化させることで大判化させて外壁に取り付ける工法も可能となるため、大判化を適用した場合には、個々の外壁パネルを１枚ずつ建物躯体に取付ける従来の外壁パネル取付け構造に比べて効率良く施工でき、この面でも省力化、短工期化が可能になる。
【００１１】
この発明において、前記各胴縁が前記縦目地から外れて位置するようにしても良い。
従来の通常の外壁パネルの納まりは、胴縁がパネル目地芯に設置されるため、内部からの作業は胴縁が干渉してしまい不可能であった。そこで、胴縁を外壁パネルの端部より少し離した位置に設置し、それぞれの外壁パネルの端部から離れた部分を各胴縁に取り付けることとする。これにより胴縁が縦目地内の施工の邪魔にならず、外壁パネルの設置後に屋内側から前記縦目地に水密性向上のための二次部材や耐火材等の施工が行える。そのため、縦目地の密封性を向上させるための施工や、耐火機能を付加する施工が簡単に行える。
【００１２】
この発明において、前記内外に位置する複数の二次部材が、それぞれレインバリアおよびウインドバリアであって、いずれも乾式のガスケットであっても良い。
レインバリアおよびウインドバリアとなる二次部材を設けることで、密封性が向上するが、二次部材の配置個数が増える。しかし、外壁パネルの端面に前記型材を用い、乾式のガスケットを用いるため、予め乾式のガスケットを取付けておくことが容易に行え、外壁パネルの施工の完了によって縦目地のレインバリアおよびウインドバリアの施工を完了させることが可能となる。
また、室内側の二次部材においては、その全てまたは一部を外壁パネルの取り付け後に不定形シーリング材を施工しても良い。この場合でも、外部足場は不要のため、施工効率に大きな影響を及ぼさずにすむ。
【発明の効果】
【００１３】
この発明の外壁パネル間目地構造は、上下方向に並ぶ複数枚の外壁パネルを、この外壁パネルの裏面の横幅方向の複数箇所で上下方向に延びる複数本の胴縁に取付けて外壁パネルユニットとし、この外壁パネルユニットをパネル幅方向に並べて建物躯体に設置してなる外壁における左右に隣合う外壁パネル間の縦目地の構造であって、前記各外壁パネルは、表裏の金属板の間に断熱材を介在させた金属サンドイッチパネルであって、前記縦目地を形成するパネル端面が、前記表裏の金属板とは別体の型材からなり、これら型材で両内側面が形成された前記縦目地内に、互いに内外に位置する複数の水密性確保のための二次部材を設けたため、外壁パネルの建物躯体への取り付け、および外壁パネルの縦目地の納まり工事の両方につき、建物の内部から施工出来て、無足場施工が可能となり、工期および費用の削減が期待でき、かつ縦目地の施工精度に優れ、水密性にも優れる。
複層の二次部材を設けることで、前記縦目地内の前記内外の二次部材間の空間を外気と等圧の等圧空間とすることで、水密性の信頼をより向上させることができる。
【図面の簡単な説明】
【００１４】
【図１】この発明の第１の実施形態に係る外壁パネル間目地構造を示す部分水平断面図である。
【図２】同外壁パネル間目地構造の施工手順の説明図である。図である。
【図３】同外壁パネル間目地構造を適用した外壁を一部分解状態で示す概略正面図である。
【図４】（Ａ）は同外壁の外壁パネルと建物躯体との関係を示す垂直断面図、（Ｂ）はその部分水平断面図である。
【図５】（Ａ）は外壁パネルユニットの平面図、（Ｂ）は同外壁パネルの胴縁への取付け部分およびその胴縁の建物躯体への取付け部分を示す部分拡大平面図である。
【図６】同外壁パネルユニットの斜視図である。
【図７】外壁パネルの中間省略垂直断面図である。
【図８】上下に隣り合う外壁パネルの境界部分の垂直断面図である。
【図９】（Ａ）〜（Ｄ）は、それぞれこの発明の他の各実施形態に係る外壁パネル間目地構造を簡略化して示す部分水平断面図である。
【図１０】従来例の施工説明図である。
【発明を実施するための形態】
【００１５】
この発明の第１の実施形態を図１ないし図８と共に説明する。図１は、隣合う外壁パネル２２，２２間の縦目地３５の付近を示す水平断面図である。各外壁パネル２２は、表裏の鋼板等の金属板２８，２９の間に不燃断熱材等の断熱材２７を介在させた金属サンドイッチパネルである。断熱材２７は、グラスウールまたはロックウール等からなる。外壁パネル２２の前記縦目地３５を形成するパネル端面は、前記表裏の金属板２８，２９とは別体の型材４０からなる。この型材４０は、アルミの押し出し成型品等からなる。外壁パネル２２内の型材４０に沿う端面付近は、前記断熱材２７とは別の石膏ボード等の不燃断熱材２７Ａで構成されている。この不燃断熱材２７Ａは省略し、外壁パネル２２内の全体に前記断熱材２７を設けても良い。
【００１６】
外壁パネル２２は、図３および図６に示すように横長の長方形であり、その上下縁は図７，図８に示すように、互いに嵌まり合う突条部分および凹溝部分を有し、その蛇行した嵌まり合い面で雨水や風の侵入を阻止し、耐火性を向上させ、また浸入した雨水が流下し易くなる継手形状とされる。図７は外壁パネル２２の中間省略垂直断面図であり、図８は上下の外壁パネル２２の接合部分を示す垂直断面図である。
【００１７】
図６に示すように、外壁パネル２２は上下に複数枚並べ、その裏面で上下方向に延びる複数の胴縁２３に取付けられ、外壁パネルユニット２１を構成する。胴縁２３は、下地材となる棒状の部材であり、リップ溝形鋼または角パイプ等の軽量形鋼からなる。
【００１８】
図１に示すように、外壁パネルユニット２１の側縁の胴縁２３は、外壁パネル２２の端部から少し離れた位置に配置される。外壁パネル２２の胴縁２３への取付けは、ドリル付きタッピングビス等のビスまたはボルト等からなる軸状の固着具３０により行われる。なお、ここでは、外壁パネル２２が、胴縁２３側から挿入されるボルトからなる固着具３０によって胴縁２３に取付けられる例を示したが、この他に、例えば図５に示すように、外壁パネル２２の外側からドリル付きタッピングビス等の固着で３０で胴縁２３に外壁パネル２２を止め付けるようにしても良い。
【００１９】
図１において、外壁パネル２２の端部の前記型材４０は、詳しくは外壁パネル２２の端面における屋外側面から屋内側面の近傍までの範囲に設けられ、型材４０よりも屋内側の部分では、屋内側面つまり裏面の金属板２９に設けられた折り曲げ部２９ａ間で前記縦目地３５の一部が構成されている。型材４０の屋外側縁は、表側の金属板２８の縁に設けられた折り曲げ部２８ａに係合している。
【００２０】
縦目地３５を構成する対向する型材４０，４０間には、互いに内外に位置する複数（ここでは２つ）の二次部材３６、３７を設ける。ここでは、内側に位置する二次部材３６が風の侵入防止用のウインドバリアであり、外側に位置する二次部材３７が雨水の浸入防止用のレインバリアであり、いずれも乾式ガスケットからなる。
【００２１】
ウインドバリアとなる内側の二次部材３６は、図２に簡略化して図示するように、隣合う一方の外壁パネル２２の型材４０に突出して取付けられる中空状の二次部材体３６ａと、もう一方の外壁パネル２２の型材４０に同じく突出して取付けられる中空状の二次部材体３６ａとでなり、これらが互いに密着状態に押し合わされて水密性向上の効果を発揮する。これらの二次部材体３６ａは乾式のガスケットからなり、型材４０に設けられた二次部材嵌合溝４０ａに一部が嵌合することで、型材４０に取付けられている。
【００２２】
レインバリアとなる外側の二次部材３７についても、隣合う一方の外壁パネル２２の型材４０に片持ち状態に取付けられる二次部材片３７ａと、もう一方の外壁パネル２２の型材４０に同じく片持ち状態に取付けられる二次部材片３７ａとでなり、両二次部材片３７ａ，３７ａが先端で互いに突き合わさって水密性向上効果を発揮する。両二次部材片３７ａ，３７ａの先端位置は、この例ではパネル内外方向にずれている。これらの二次部材片３７ａも乾式のガスケットからなり、型材４０に設けられた二次部材嵌合溝４０ｂに一部が嵌合することで、型材４０に取付けられている。
【００２３】
縦目地３５内の内外に二次部材３６，３７間の空間４１は、通気路（図示せず）を適宜設けて外気と等圧の等圧空間としてある。両二次部材３６，３７間に等圧空間等とされる空間４１を設けることで、レインバリアとなる二次部材３７を通過した雨水は、それよりも内部へ浸入せず外部へ流れ出て行く。
なお、図１の例では、内側の二次部材３６よりもさらに屋内側となる縦目地３５の最屋内側部に、つまり両外壁パネル２２，２２の鋼板２９，２９の折り曲げ片２９ａ，２９ａで構成される縦目地部分に、不燃断熱材３８が嵌め込み状態に設けられている。これにより火災時の火炎の影響を回避する。
【００２４】
図３〜図５と共に、この外壁パネル間目地構造を適用した外壁の構成例を説明する。図３に示すように、この外壁は、複数枚の外壁パネル２２を地組により下地となる胴縁２３と一体化させて大判化した外壁パネルユニット２１とし、この外壁パネルユニット２１を建物躯体２６に取付けるようにしている。具体的には、上下方向に並ぶ複数枚の外壁パネル２２を、この外壁パネル２２の横幅方向の複数箇所で上下方向に延びる複数本の胴縁２３に取付けて外壁パネルユニット２１（図６参照）とし、図４のように、この外壁パネルユニット２１を、前記胴縁２３で前記建物躯体２６に取付ける。外壁パネルユニット２１は、上下左右に複数並べて設置する。建物躯体２６は、図３，図４に示すように、柱３４、梁４１，４１Ａ（図３）、およびスラブ３１等により構成される。
【００２５】
外壁パネルユニット２１は、この例では、前記胴縁２３を建物躯体２６のスラブ３１よりも屋外側に位置させている。外壁パネルユニット２１の高さは、同図の例では上下のスラブ３１，３１間の高さよりも低く、上下に並ぶ外壁パネルユニット２１，２１は、胴縁２３の対向する端部が相互にジョイントプレート１５で連結されている。外壁パネルユニット２１の建物躯体２６への取付けは、胴縁２３の部分で行われる。胴縁２３を建物躯体２６に取付ける構造としては、建物躯体２６のスラブ３１の端部および耐風梁４１Ａにファスナ１４を取付け、これらファスナ１４に、外壁パネルユニット２１の胴縁２３をボルトまたは溶接で固定する構造とされる。スラブ３１は、建物躯体２６の梁４１上にデッキプレートを載せ、その上にコンクリートを打設した構成とされ、外壁側の小口面は内向きの溝形鋼等の形鋼３１ａで構成されている。スラブ３１のファスナ１４は、上記形鋼３１ａの上面に溶接等で固定されている。ファスナ１４は、Ｌ形鋼の切片等からなり、各胴縁２３と対応する箇所に部分的に設けられている。
【００２６】
図５（Ｂ）は胴縁２３のファスナ１４への取付け部分を拡大して示す。同図の例では、ファスナ１４の横片１４ａが形鋼３１ａの上面に固定され、立片１４ｂに胴縁２３がボルト４２およびナット４３により固定される。ナット４３は、リップ溝形の胴縁２３のフランジ内面に溶接で固定され、ナット４３に合わせて上記フランジおよびファスナ１４にボルト挿通孔が設けられている。そのため、ボルト４２を締め込む作業は屋内側から行える。胴縁２３は、ファスナ１４に対しボルト４２に代えて溶接で固定しても良い。
【００２７】
なお、図４（Ｂ）および図５（Ａ）に示すように、スラブ３１と外壁パネル２２との間には、外壁パネルユニット２１の胴縁２３をスラブ３１よりも屋外側に位置させたことによって、スラブ３１の縁に沿う隙間ｄが生じるが、この隙間ｄは、モルタルやロックウール等の不燃断熱材の充填部４５によって塞ぐ。
【００２８】
上記構成の外壁パネル間目地構造によると、複数枚の外壁パネル２２を胴縁２３と一体化させて外壁パネルユニット２１としており、外壁パネルユニット２１の胴縁２３を建物躯体２６に取付ける作業は、外壁パネル２２を胴縁２３に縫い付ける作業とは異なり、建物躯体２６内のスラブ３１や梁４１上等から行える。そのため、外壁パネル２２の建物躯体２６への取付作業を行うにつき、従来は必要であった建物躯体の外周の足場が不要になる。
また、前記縦目地３５を形成するパネル端面が、表裏の金属板２８，２９とは別体の型材４０からなり、これら型材４０で両内側面が形成された縦目地３５内に二次部材３６，３７を設けるため、前記二次部材３６，３７を予め前記型材４０に取付けておくことで、外壁パネル２２の設置によって前記二次部材３６，３７による縦目地３５の納まり工事が行え、屋外側からの水密施工を不要にできる。
外壁パネル２２の設置によって前記二次部材３６，３７による縦目地の納まり工事を完了させる場合、前記二次部材３６，３７は、縦目地を形成するパネル端面に取付けておく必要があり、また施工精度を向上させる必要があるが、パネル端面が前記型材４０からなるため、施工精度が上がり、また型材４０に前記二次部材３６，３７を嵌め込み等によって保持可能とする二次部材材嵌合溝４０ａ，４０ｂを容易に設けておくことができ、二次部材３６，３７をパネル端面に取付けておく作業が容易に行える。
前記二次部材３６，３７は、互いに内外に位置するように複数設け、縦目地３５内の内外の二次部材間の空間を外気と等圧の等圧空間とするため、気圧差によって雨水が縦目地３５内に浸入することが防止される。このように内外に二次部材３６，３７を設ける場合、二次部材個数が増えるが、前記のように型材を用いることで、二次部材３６，３７の納まりの施工が簡単に行える。
【００２９】
このように、外壁パネル２２の建物躯体２６への取付作業と、縦目地３５の密封性能確保との両方の点で、無足場施工が可能となる。そのため、工期および費用の削減が期待できる。また、これまで外部足場の撤去時期に影響していた工事、例えば外構工事などの工事の早期着手ができることで、全体工期の短縮が期待できる。また、内部施工とすることで作業環境と作業性能の効率化が見込めるため人員コストの削減も期待できる。
さらに、地組等により外壁パネル２２と下地となる胴縁２３とを一体化させることで大判化させて外壁に取り付ける工法となるため、個々の外壁パネル２２を１枚ずつ建物躯体２６に取付ける従来の外壁パネル取付け構造に比べて効率良く施工でき、この面でも省力化、短工期化が可能になる。
【００３０】
また、各胴縁２３が縦目地３５から外れて位置するため、次の利点が得られる。従来の通常の外壁パネルの納まりは、胴縁がパネル目地芯に設置されるため、内部からの作業は胴縁が干渉してしまい不可能であった。そこで、この実施形態では胴縁２３を外壁パネル２２の端部より少し離した位置に設置し、それぞれの外壁パネル２２の端部から離れた部分を各胴縁２３に取り付けることとしている。これにより胴縁２３が縦目地３５内の施工の邪魔にならず、外壁パネル２２の設置後に屋内側から前記縦目地に水密性確保のための二次部材や耐火材等の施工が行える。そのため、縦目地の密封性を向上させるための施工や、耐火機能を付加する施工が簡単に行える。
【００３１】
また、前記複数の二次部材３６，３７は、それぞれレインバリアおよびウインドバリアとしているため、優れた密封性が得られる。これらの二次部材３６，３７には乾式のガスケットを用い、ノンシール構造、つまり湿式シールを用いない構成としているため、外壁パネル２２の施工の完了によって縦目地のレインバリアおよびウインドバリアの施工を完了させることが可能となる。
【００３２】
なお、前記実施形態では、レインバリアとなる二次部材３７として、図９（Ａ）に概略図で示すように、両側のパネル端面となる各型材４０に片持ち状態に取付けた一対の二次部材片３７ａ，３７ａからなる構成例を示したが、図９（Ｂ）〜（Ｄ）に示すような構成としても良い。
図９（Ｂ）の構成例では、一方の外壁パネル２２の型材４０に片持ち状態に取付けられ他方の外壁パネル２２の型材４０に向けて突出する１つの二次部材片のみで二次部材３７を構成している。図９（Ｃ）の構成例では、一方の外壁パネル２２の型材４０に片持ち状態に取付けられ他方の外壁パネル２２の型材４０に向けて突出する前後一対の二次部材片３７ａ，３７ｂで二次部材３７を構成している。図９（Ｄ）の構成例では、一方の外壁パネル２２の型材４０から突出する中空状の二次部材体３７ｃと、他方の外壁パネル２２の型材４０から突出して前記二次部材体３７ｃと突き合わさる二次部材体３７ｃとで二次部材３７を構成している。なお、図９（Ｃ）の構成例において、一方の型材４０から突出する一対の二次部材片３７ａ，３７ｂを、他方の型材４０からも突出させて、４つの二次部材片３７ａ，３７ｂで二次部材３７を構成しても良い。なお、図９（Ｄ）の構成例において、一方の型材４０から突出する１つの中空状の二次部材体のみで二次部材３７を構成しても良い。
【００３３】
また、室内側の二次部材３６は、その全てまたは一部を外壁パネル２２の取り付け後に不定形シーリング材で施工することもできる。この場合でも、外部足場は不要のまま、室内における軽微な足場もしくは高所作業台で作業を行うことができる。なお、一部は、ガスケットを基本としながら、ガスケットのジョイント部やすき間ができた部分をシーリング材で補うことを含む。
【符号の説明】
【００３４】
２１…外壁パネルユニット
２２…外壁パネル
２３…胴縁
２６…建物躯体
２７…不燃断熱材
２８，２９…鋼板
３６，３７…二次部材
４０…型材
４１…空間
【図１】
2016094791.tif 000003
【図２】
2016094791.tif 000004
【図３】
2016094791.tif 000005
【図４】
2016094791.tif 000006
【図５】
2016094791.tif 000007
【図６】
2016094791.tif 000008
【図７】
2016094791.tif 000009
【図８】
2016094791.tif 000010
【図９】
2016094791.tif 000011
【図１０】
2016094791.tif 000012